(57)【要約】【課題】水素酸素混合ガス生成装置、水素酸素混合ガス生成方法を提供すること。【解決手段】水溶液１１を電解水槽１２にて電気分解することにより生成した水素ガスと酸素ガスとを混合した混合ガス１３とし、混合ガス１３を、水を貯留した洗気槽１４に導入して、混合ガス１３中に含まれる不純物を洗気槽１４において除去し、洗気槽１４において洗気化された洗気混合ガス１５を、溶解用水を貯留したガス溶解水槽１６に導入して洗気混合ガスを当該溶解用水に溶解させ、当該ガス溶解水槽中の溶解用水に溶解されなかった洗気混合ガスを、前記ガス溶解水槽から排出させることを特徴とする水素酸素混合ガス生成装置１０。【選択図】図１
2018118188.tif 000002
【特許請求の範囲】
【請求項１】
水溶液を電解水槽にて電気分解することにより生成した水素ガスと酸素ガスとを混合した混合ガスとし、
当該混合ガスを、水を貯留した洗気槽に導入して、
当該混合ガス中に含まれる不純物を当該洗気槽において除去し、
当該洗気槽において洗気化された洗気混合ガスを、
溶解用水を貯留したガス溶解水槽に導入して洗気混合ガスを当該溶解用水に溶解させ、
当該ガス溶解水槽中の溶解用水に溶解されなかった洗気混合ガスを、
前記ガス溶解水槽から排出させることを特徴とする水素酸素混合ガス生成装置。
【請求項２】
水溶液を電解水槽にて電気分解することにより生成した水素ガスと酸素ガスとを混合した混合ガスとし、
当該混合ガスを、水を貯留した洗気槽に導入して、
当該混合ガス中に含まれる不純物を当該洗気槽において除去し、
当該洗気槽において洗気化された洗気混合ガスを、
溶解用水を貯留したガス溶解水槽に導入して洗気混合ガスの一部を当該溶解用水に溶解させ、
当該ガス溶解水槽中の溶解用水に溶解されなかった洗気混合ガスを、
前記ガス溶解水槽から排出させることを特徴とする水素酸素混合ガス生成方法。
【発明の詳細な説明】
【技術分野】
【０００１】
本発明は、水素酸素混合ガス生成装置、水素酸素混合ガス生成方法に関する。
【背景技術】
【０００２】
近年、水素ガスが身体に有害とされる活性酸素を除去できるとして、体内に水素を吸引させる健康器具が注目されている。
水素は、例えば、陰極及び陽極を備える処理槽内で水を電気分解することによって得られる。
また、水素を含んだ水は、老化や病気を予防する抗酸化作用が認められることから、飲用水などとして注目されている。
特許文献１には、金属マトリックス中にアルミニウムを分散させて水と接触させて、表面から水素ガスを発生させる水素ガス製造方法が記載されている。
また、特許文献２には、水素酸素混合ガスの生成装置が記載されており、水素酸素混合ガスを生成するために用いる純水の一部を飲料用として取り出し、この飲料水を美容用途として用いることが記載されている。
【先行技術文献】
【特許文献】
【０００３】
【特許文献１】特開２００９−５１７１４号公報
【特許文献２】特開２００６−６８５８７号公報
【発明の概要】
【発明が解決しようとする課題】
【０００４】
しかしながら、上記特許文献ではいまだ課題が残されている。
すなわち、水素ガスの直接吸引は危険を伴うというイメージが残っている。
そこで、水分を添加した、人体に優しい水素と酸素の混合ガスを生成する装置、及び水素と酸素の混合ガスを生成方法を提案することを課題とする。
【課題を解決するための手段】
【０００５】
上記の課題を解決するために、本発明は以下の点を特徴とする。
（１）本発明の水素酸素混合ガス生成装置は、水溶液を電解水槽にて電気分解することにより生成した水素ガスと酸素ガスとを混合した混合ガスとし、
当該混合ガスを、水を貯留した洗気槽に導入して、当該混合ガス中に含まれる不純物を当該洗気槽において除去し、当該洗気槽において洗気化された洗気混合ガスを、溶解用水を貯留したガス溶解水槽に導入して洗気混合ガスを当該溶解用水に溶解させ、当該ガス溶解水槽中の溶解用水に溶解されなかった洗気混合ガスを、前記ガス溶解水槽から排出させることを特徴とする。
（２）本発明の水素酸素混合ガス生成方法は、水溶液を電解水槽にて電気分解することにより生成した水素ガスと酸素ガスとを混合した混合ガスとし、
当該混合ガスを、水を貯留した洗気槽に導入して、当該混合ガス中に含まれる不純物を当該洗気槽において除去し、当該洗気槽において洗気化された洗気混合ガスを、溶解用水を貯留したガス溶解水槽に導入して洗気混合ガスの一部を当該溶解用水に溶解させ、当該ガス溶解水槽中の溶解用水に溶解されなかった洗気混合ガスを、前記ガス溶解水槽から排出させることを特徴とする。
【発明の効果】
【０００６】
本発明の水素酸素混合ガス生成装置は、水溶液を電解水槽にて電気分解することにより生成した水素ガスと酸素ガスとを混合した混合ガスとし、当該混合ガスを、水を貯留した洗気槽に導入して、当該混合ガス中に含まれる不純物を当該洗気槽において除去し、当該洗気槽において洗気化された洗気混合ガスを、溶解用水を貯留したガス溶解水槽に導入して洗気混合ガスの一部を当該溶解用水に溶解させ、当該ガス溶解水槽中の溶解用水に溶解されなかった洗気混合ガスを、前記ガス溶解水槽から排出させるので、水分を添加した、人体に優しい水素と酸素の混合ガスを生成することができる。
【図面の簡単な説明】
【０００７】
【図１】本発明の実施形態の水素酸素混合ガス生成装置を示す概略構成図である。
【図２】水素酸素混合ガス生成装置を用いて生成した排出ガスの分析値である。
【発明を実施するための形態】
【０００８】
以下に、図面を参照して、実施形態の水素酸素混合ガス生成装置を説明する。
図１は実施形態の水素酸素混合ガス生成装置を示す概略構成図である。
実施形態の水素酸素混合ガス生成装置１０は、水溶液１１を電解水槽１２にて電気分解することにより、水素ガスと酸素ガスを生成する。
そして、水素ガスと酸素ガスとを、電解水槽１２の上部空間において混合し、混合ガス１３とする。
次に、この混合ガス１３を、洗気槽１４に貯留した水中に導入してバブリングする。
【０００９】
洗気槽１４においては、水素酸素混合ガス１３中に含まれる不純物を洗気槽１４において除去する。
ここで、水素酸素混合ガス１３中に含まれる不純物とはゴミをいう。
そして、バブリング後に洗気槽１４の上部には、洗気化された後の洗気混合ガス１５が集積される。
【００１０】
次に、この洗気混合ガス１５を、ガス溶解水槽１６に貯留した溶解用水中に導入してバブリングさせる。
これにより、洗気混合ガス１５の一部がガス溶解水槽１６の溶解用水に溶解され、ガス溶解水槽１６の溶解用水は、水素酸素水となる。
この水素酸素水は、水素酸素ガスを溶け込ませた水であり、これを皮膚に塗り付けたり、これで洗面するなどの用途に用いることができる。
【００１１】
一方、溶解用水中をくぐり抜けた（溶解用水に溶解されなかった）洗気混合ガス１５は、水分を含んだ水分添加ガスとしてガス溶解水槽１６の上部に集積する。
この水分添加ガスは、不純物を含まず、きれいな溶解用水の水分を蒸気として含んでおり、
ガス溶解水槽１６から外部に排出させて、種々の用途（例えば、人体に吸入）に使用することができる。
【００１２】
次に、本発明の水素酸素混合ガス生成装置について説明する。
＜電解水槽１２＞
たとえば、矩形状の密閉容器である電解水槽１２内に、板状の陽電極１２Ｂおよび陰電極１２Ａを間隔をおいて配置しておき、この電解水槽１２内に、水酸化ナトリウム、水酸化カリウム、炭酸カルシウム、塩化ナトリウムなどの電解質を溶解させた水溶液を入れ、陽電極１２Ｂ及び陰電極１２Ａ間に通電することにより、水溶液１１を電気分解する。
この結果、陽電極１２Ｂから発生する酸素と、陰電極１２Ａから発生する水素とが、電解水槽１２の上部空間内で混合されて水素酸素混合ガス１３が生成される。
これら２本の陰電極１２Ａおよび陽電極１２Ｂは、水溶液１１を電気分解するために必要な電力を供給するために電源（示されていない）に接続されている。
水素と酸素は水溶液１１を電解することから生成され、水素と酸素の体積比は２：１である。
【００１３】
陰電極１２Ａおよび陽電極１２Ｂの電極材料としては、水溶液１１の電解に使用可能なものを適宜用いることができる。
しかしながら、電極成分が水溶液１１中に溶け出すものは好ましくない。
【００１４】
電極の形状は、通常、平板状に形成された一対の電極を用いるが、こうした構成に限定されるものではない。
形状は平板電極、針状電極、櫛型やリング型の電極などを適宜使用できる。
電極の配置は平板電極ならば陰電極１２Ａと陽電極１２Ｂの平板の面同士が対向し対極面となっていると、電流が電極間を直線状に流れやすいため望ましいが、この配置に限られない。
なお、本実施形態では、陰電極１２Ａ側と陽電極１２Ｂ側の水溶液を分離して取り出す必要がないため、電極間に隔膜を設ける必要がなく、その配置を自由に選択することができる。
実施形態の電解水槽では、水溶液１１として２％水酸化ナトリウム水溶液とし、
１００Ｖで１．５Ａを通電し、３００〜５３０ｍＬ／ｍｉｎ．の水素酸素混合ガスを得た。
【００１５】
＜洗気槽１４＞
電解水槽１２内で生成された水素酸素混合ガス１３には、電解水槽１２の水溶液のゴミなどの不純物が含まれているので、洗気槽１４の水中でバブリングして不純物を除去する。
洗気槽１４は、透明容器とすることによって、洗気槽１４によって水素酸素混合ガス１３が洗気化されていることが視認できる。
【００１６】
＜ガス溶解水槽１６＞
ガス溶解水槽１６に用いる溶解用水としては、純水、地下水、海洋深層水や、各種のミネラル成分を含んだ水などが挙げられる。
なお、殺菌成分の塩素などを含んだ水道水は好ましくない。
【００１７】
＜水分添加ガス＞
ガス溶解水槽１６で、溶解用水中をくぐり抜けた洗気混合ガス１５は、水分を含んだ水分添加ガスとしてガス溶解水槽１６の上部に集積する。
この水分添加ガスは、不純物を含まず、きれいな溶解用水の水分を蒸気として含んでおり、外部に排出させて、種々の用途に使用する。
例えば、健康器具の人体吸引用のガスとして用いることができる。
この水分添加ガスを、外部機関によって分析した水分添加ガスの成分は以下のようであった。
（株）東海テクノ分析報告書を図２に示す。
水素：６３．５％
酸素：３３．１％
水分：３．２％
【産業上の利用可能性】
【００１８】
本発明の水素酸素混合ガス生成装置は、水分を添加した、人体に優しい、水素と酸素の混合ガスを生成することができるので、産業上の利用可能性が高い。
【符号の説明】
【００１９】
１０  水素酸素混合ガス生成装置
１１  水溶液
１２  電解水槽
１２Ａ  陰電極
１２Ｂ  陽電極
１３  水素酸素混合ガス
１４  洗気槽
１５  洗気混合ガス
１６  ガス溶解水槽
【図１】
2018118188.tif 000003
【図２】
2018118188.tif 000004